(57)【特許請求の範囲】
【請求項１】
導電性のコネクタ筐体を有する複数のコネクタが実装された基板と、
２つのケース部材を有し、一方のケース部材を他方のケース部材に組み合わせて形成される内部空間内に前記基板を収納するケースとを備える電子機器において、
前記ケースの内部空間内で、前記基板の前記コネクタが実装された面を覆うように前記一方のケース部材と前記基板との間に設けられるシールド部材を備え、
前記シールド部材は、
前記複数のコネクタのいずれかのコネクタ筐体に当接して前記基板を前記他方のケース部材に向けて付勢することで前記基板を前記他方のケース部材側に押し付ける弾性形状部と、
残りのいずれかのコネクタ筐体に対して前記他方のケース部材の方向に圧接することで前記基板を前記他方のケース部材側に押し付ける圧接部とを備えることを特徴とする電子機器。
【請求項２】
前記圧接部は、前記コネクタ筐体の側面の上端部に圧接することを特徴とする請求項１記載の電子機器。
【請求項３】
前記一方のケース部材と前記シールド部材との間に、前記圧接部が前記コネクタ筐体に圧接することで撓んだ前記シールド部材の逃げとなるクリアランスを設けたことを特徴とする請求項１記載の電子機器。
【請求項４】
前記コネクタの開口部が露出する前記ケースの側面を開閉する蓋部材を備え、
前記蓋部材の厚みは、前記ケースの側面の端辺に回動自在に取り付けられる部分に向かって薄くなることを特徴とする請求項１記載の電子機器。
【発明の詳細な説明】
【技術分野】
【０００１】
この発明は、電磁波を遮蔽するシールド板金を備えた電子機器に関する。
【背景技術】
【０００２】
例えば、特許文献１には、他の電子機器との接続に用いるインタフェース用コネクタに対するＥＭＩ（電磁波障害）防止用の接触子およびこのＥＭＩ防止用接触子を用いた電子機器が開示されている。電磁波を遮蔽するシールド効果を得るために、この接触子では、コネクタ側のコネクタグランドに対して接触する導電性を有したコネクタグランド接触部と、機器筐体に設けられたフレームグランドに対して接触する導電性を有したフレームグランド接触部と、コネクタグランド接触部とフレームグランド接触部を基板に対して固定する固定部が一体形成されている。
【先行技術文献】
【特許文献】
【０００３】
【特許文献１】特開２００８−１７１６１６号公報
【発明の概要】
【発明が解決しようとする課題】
【０００４】
従来から、他の電子機器との接続に用いるインタフェース用のコネクタを実装する基板を備えた電子機器において、この基板の全体を覆い、かつ導電性を有する上記コネクタの筐体に一部が接触して電磁波を遮蔽するシールド板金を設けたＥＭＩ防止構造がある。
しかしながら、従来では、電子機器の組み立てに際して、シールド板金をねじ止め固定していたので、ねじ止め用の構造を設ける加工が必要であり、かつ組み立て工程が繁雑になるという課題があった。【０００５】
また、従来のシールド板金は電子機器内の組み付け方向に付勢されていないので、例えば振動が長時間加わってねじが緩んだ場合に、シールド板金と電子機器内の組み付け方向の構成との間に隙間が生じてガタが発生する可能性がある。
なお、ガタが発生した場合、シールド板金と電子機器内の組み付け方向の構成とが接触して異音が発生する可能性があった。【０００６】
特許文献１に代表される従来の技術では、接触部とグランドとの接触力を高めるため、ＥＭＩ防止用接触子のコネクタグランド接触部とフレームグランド接触部をグランド側に付勢している。しかしながら、コネクタ周りに局所的に設けられる接触子では、基板全体を覆うシールド板金の組み付けに適用することができず、上述した課題を解消することはできない。【０００７】
この発明は、上記のような課題を解決するためになされたもので、簡易な構成でガタなく組み立てることができる電子機器を得ることを目的とする。
【課題を解決するための手段】
【０００８】
この発明に係る電子機器は、導電性のコネクタ筐体を有する複数のコネクタが実装された基板と、２つのケース部材を有し、一方のケース部材を他方のケース部材に組み合わせて形成される内部空間内に基板を収納するケースとを備える電子機器において、ケースの内部空間内で、基板のコネクタが実装された面を覆うように一方のケース部材と基板との間に設けられるシールド部材を備え、シールド部材は、複数のコネクタのいずれかのコネクタ筐体に当接して基板を他方のケース部材に向けて付勢することで基板を他方のケース部材側に押し付ける弾性形状部と、残りのいずれかのコネクタ筐体に対して他方のケース部材の方向に圧接することで基板を他方のケース部材側に押し付ける圧接部とを備えることを特徴とする。
【発明の効果】
【０００９】
この発明によれば、簡易な構成でガタなく組み立てることができるという効果がある。
【図面の簡単な説明】
【００１０】
【図１】この発明の実施の形態１に係る電子機器を示す斜視図である。
【図２】図１の電子機器の分解斜視図である。
【図３】図１の電子機器の内部構成を示す斜視図である。
【図４】実施の形態１におけるシールド板金を配置した基板を示す図である。
【図５】実施の形態１に係る電子機器の断面図である。
【図６】この発明の実施の形態２に係る電子機器を示す図である。
【発明を実施するための形態】
【００１１】
以下、この発明をより詳細に説明するため、この発明を実施するための形態について、添付の図面に従って説明する。
実施の形態１．
図１は、この発明の実施の形態１に係る電子機器を示す斜視図であって、図１（ａ）は電子機器を正面側の斜視図であり、図１（ｂ）は背面側の斜視図である。また、図２は、図１の電子機器の分解斜視図である。図３は、図１の電子機器の内部構成を示す斜視図である。図４は、実施の形態１におけるシールド板金を配置した基板を示す図である。
実施の形態１に係る電子機器１は、例えば開閉式の蓋部材４を有する車載用の外部入力インタフェース電子機器であり、図１（ａ）に示すように上部ケース部材２を下部ケース部材３に組み合わせてなるケースと、上部ケース部材２の前面に取り付けられる蓋部材４とを備えている。
【００１２】
上部ケース部材２は、図２に示すように方形の一面が開口した形状を有しており、その開口部に下部ケース部材３が組み合わされる。
また、上部ケース部材２の背面には、図１（ｂ）に示すようにコネクタ５，６の各開口が露出しており、上部ケース部材２の前面には、図２に示すように、コネクタ１１，１２を露出させる開口部２ａ，２ｂが形成されている。
【００１３】
蓋部材４は、上部ケース部材２の前面に回動自在に取り付けられる蓋部材であり、開口２ａ，２ｂから露出するコネクタ１１，１２を保護する。また、蓋部材４は、樹脂などの可撓性を有する材料で形成されており、上部ケース部材２の前面に蓋部材４を組み付ける場合には、蓋部材４を撓ませて、蓋部材４の下辺の両端に形成した軸保持部（図６を用いて後述する）に支軸２ｃ，２ｄを装着する。
【００１４】
また、図２に示すように、上部ケース部材２を下部ケース部材３に組み合わせて形成されるケースの内部空間内に、シールド板金７と基板１０が収納される。
シールド板金７は、基板１０からの高周波電波をシールドするシールド部材であって、導電性の板金を一面が開口するように端面を折り曲げて形成される。
また、シールド板金７の天面には、弾性形状部８が形成されており、シールド板金７の前面部の下端には、圧接部９ａ，９ｂが形成されている。
さらに、図２と図３に示すように、シールド板金７は、上部ケース部材２と基板１０との間に配置され、天面と各側面で基板１０の実装面を覆うように組み付けられる。
【００１５】
基板１０には、コネクタ５，６，１１，１２が実装されている。外部の接続ケーブルのコネクタを差し込む必要があるため、コネクタ５，６，１１，１２の開口部は少なくともケースの側面から露出するように設けられる。このため、図２に示すように、コネクタ５，６，１１，１２は、基板１０の端辺側に配置される。
また、コネクタ５，６は、導電性のコネクタ筐体５Ａ，６Ａに保持されており、コネクタ１１，１２は、導電性のコネクタ筐体１１Ａ，１２Ａに保持されている。コネクタ筐体５Ａ，６Ａ，１１Ａ，１２Ａは、基板１０を介して接地されている。
【００１６】
図３および図４に示すように、弾性形状部８は、シールド板金７の天面の一部を下方に切り曲げて構成されるバネ形状を有しており、その先端部が、コネクタ５のコネクタ筐体５Ａの天面に当接して基板１０を下部ケース部材３側に付勢する。
また、図３に示すように、上部ケース部材２には、その内部の天井面から延びるリブ２ｅ，２ｆが形成されている。リブ２ｅ，２ｆは、上部ケース部材２を組み付けたときに、シールド板金７の貫通孔部７ａ，７ｂを通ってコネクタ筐体１１Ａ，１２Ａに当接して基板１０の上下方向の移動を規制する。ここで、コネクタ１１，１２は、図４に示すように、貫通孔部７ａ，７ｂの下方に位置するため、コネクタ筐体１１Ａ，１２Ａに対する弾性形状部を形成することはできない。
【００１７】
そこで、この発明では、シールド板金７の天面部ではなく、その側面部に圧接部９ａ，９ｂを設けている。圧接部９ａ，９ｂは、シールド板金７の前側面部の下端に形成され、下方に突出しており、その最下端の位置はコネクタ筐体１１Ａ，１２Ａの天面の位置より若干下方に位置する。このため、シールド板金７を組み付けたときに、圧接部９ａ，９ｂは、コネクタ筐体１１Ａ，１２Ａに対して下部ケース部材３の方向に圧接する。
このように、弾性形状部８がコネクタ筐体５Ａを付勢し、圧接部９ａ，９ｂがコネクタ筐体１１Ａ，１２Ａに圧接することで、基板１０が下部ケース部材３側に押し付けられ、基板１０をガタなくケース内に適切に保持することが可能となる。また、基板をねじ止めする必要がないため、製造工程におけるねじ止め加工を省略でき、また組み立て工程の繁雑なねじ止め作業が不要となる。
【００１８】
また、コネクタ筐体１１Ａ，１２Ａの天面の中央部を圧接部９ａ，９ｂが圧接すると、コネクタ筐体１１Ａ，１２Ａの天面が拉げて変形する可能性がある。
そこで、図４に示すように、圧接部９ａ，９ｂを、コネクタ筐体１１Ａ，１２Ａの側面１１Ｂ，１２Ｂの上端部に圧接する位置に形成してもよい。このように構成することで、圧接部９ａ，９ｂからの圧接力は、コネクタ筐体１１Ａ，１２Ａの側面１１Ｂ，１２Ｂが受けて支えることになる。
【００１９】
図５は、実施の形態１に係る電子機器の断面図であり、図１（ａ）のＡ−Ａ線で切った断面を示している。上述したように、圧接部９ａ，９ｂの最下端の位置は、コネクタ筐体１１Ａ，１２Ａの天面の位置より若干下方に位置するため、圧接部９ａ，９ｂがコネクタ筐体１１Ａ，１２Ａに圧接すると、シールド板金７が上方に撓むことになる。
この撓みに対する逃げがない場合、上部ケース部材２を組み付けたときに、上部ケース部材２によって圧接部９ａ，９ｂが組み付け方向に押し付けられるため、圧接部９ａ，９ｂがコネクタ筐体１１Ａ，１２Ａに対して過度に圧接することになる。この場合、コネクタ筐体１１Ａ，１２Ａを変形させるおそれがある。
【００２０】
そこで、図５中に符号Ｂで示すように、上部ケース部材２とシールド板金７との間に、圧接部９ａ，９ｂがコネクタ筐体１１Ａ，１２Ａに圧接することで撓んだシールド板金７の逃げとなるクリアランス１３を設ける。
なお、図５の例では、上部ケース部材２の天井面に凹所を設けてシールド板金７との間にクリアランス１３を形成したが、シールド板金７を下方に窪ませてクリアランスを形成してもよい。
【００２１】
以上のように、この実施の形態１によれば、上部ケース部材２を下部ケース部材３に組み合わせてなるケースの内部空間内で、基板１０のコネクタ５，６，１１，１２が実装された面を覆うように上部ケース部材２と基板１０との間に設けられるシールド板金７を備え、シールド板金７が、コネクタ筐体５Ａに当接して基板１０を下部ケース部材３に向けて付勢する弾性形状部８と、コネクタ筐体１１Ａ，１２Ａに対して下部ケース部材３の方向に圧接する圧接部９ａ，９ｂとを備える。このように構成することで、ねじ止めが不要な簡易な構成であり、基板１０を強固に下部ケース部材３側へ付勢することができることから、ガタの発生を防止することが可能である。
【００２２】
また、この実施の形態１によれば、圧接部９ａ，９ｂが、コネクタ筐体１１Ａ，１２Ａの側面１１Ｂ，１２Ｂの上端部に圧接するので、圧接部９ａ，９ｂによる圧接でコネクタ筐体１１Ａ，１２Ａが変形することを防止できる。
【００２３】
さらに、この実施の形態１によれば、上部ケース部材２とシールド板金７との間に、圧接部９ａ，９ｂがコネクタ筐体１１Ａ，１２Ａに圧接することで撓んだシールド板金７の逃げとなるクリアランス１３を設けたので、圧接部９ａ，９ｂがコネクタ筐体１１Ａ，１２Ａを過度に圧接することを防止できる。
【００２４】
実施の形態２．
図６は、この発明の実施の形態２に係る電子機器を示す図であり、図６（ａ）は、上部ケース部材２と蓋部材４を示しており、図６（ｂ）は、上部ケース部材２に取り付けた蓋部材４の縦断面を示している。上部ケース部材２の前面に蓋部材４を取り付ける場合に、蓋部材４の下辺側を側方に広がるように撓ませて、蓋部材４の下辺の両端に形成した軸保持部４ａ，４ｂを、上部ケース部材２の前面の下辺の両端に設けた支軸２ｃ，２ｄに嵌合する。このため、蓋部材４が均一に厚い場合、蓋部材４をうまく撓ませることができず、上部ケース部材２の前面に取り付けることができなくなる。
【００２５】
そこで、この実施の形態２では、蓋部材４を、支軸２ｃ，２ｄに取り付けられる下辺側に向かって厚みが薄くなるように構成している。すなわち、図６（ｂ）に示すように、蓋部材４における上辺側の厚みａと下辺側の厚みｂとの間にはｂ＜ａの関係がある。これにより、蓋部材４の下辺側を側方に広がるように撓ませることが容易となる。
【００２６】
以上のように、この実施の形態２によれば、コネクタ１１，１２の開口部が露出するケースの側面を開閉する蓋部材４を備え、蓋部材４の厚みは、ケースの側面の端辺に沿って回動自在に取り付けられる部分に向かって薄くなる。このように構成することで、蓋部材４を容易に取り付けることができ、ひいては電子機器の組み付けが容易になる。
【００２７】
上記実施の形態１，２では、蓋部材４に軸保持部４ａ，４ｂを設け、上部ケース部材２の前面に支軸２ｃ，２ｄを設ける構成を示したが、蓋部材４に支軸を設け、上部ケース部材２の前面に軸保持部を設けてもよい。
【００２８】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００２９】
この発明に係る電子機器は、簡易な構成でガタなく組み立てることができるので、車両の走行によりガタの要因となる振動が発生しやすい車載用の電子機器に好適である。
【符号の説明】
【００３０】
１  電子機器、２  上部ケース部材、２ａ，２ｂ  開口、２ｃ，２ｄ  支軸、２ｅ，２ｆ  リブ、３  下部ケース部材、４  蓋部材、４ａ，４ｂ  軸保持部、５，６，１１，１２  コネクタ、５Ａ，６Ａ，１１Ａ，１２Ａ  コネクタ筐体、７  シールド板金、７ａ，７ｂ  貫通孔部、８  弾性形状部、９ａ，９ｂ  圧接部、１０  基板、１１Ｂ，１２Ｂ  側面、１３  クリアランス。
【図１】
0005881867.tif 000002
【図２】
0005881867.tif 000003
【図３】
0005881867.tif 000004
【図４】
0005881867.tif 000005
【図５】
0005881867.tif 000006
【図６】
0005881867.tif 000007